(57)【特許請求の範囲】
【請求項１】
円筒状をなした箱体中にその軸心と直交させてバッフル板を備えてなるスピーカーボックスの該バッフル板にスピーカーが取り付けられているスピーカーシステムにおいて、
前記箱体は、円筒状の一方の箱体をなしてその一端側に前記バッフル板を形成してなる主ボックスと、一端側が開放されてなる円筒状の他方の箱体をなし主ボックスと軸心を共通にして該一端側が前記一方の箱体の一端側と互いに重ね合わされた状態で組み付けられている副ボックスと、前記軸心位置にあって前記一方の箱体の一端側から主ボックス中に突き出していて副ボックスから主ボックスに通じている副音響ダクトとを備えてなり、
副ボックスは、主ボックスに対して前記軸心を中心として回動可能にし且つ該軸心方向に移動可能にしており、
前記軸心とそれぞれ一致させて、前記副音響ダクトに向けて突き出した状態で副ボックスの他端側にねじ棒が取り付けられ、該ねじ棒と螺合されるねじ受けを主ボックスに備え、
前記副音響ダクト中に、前記ねじ棒の軸心方向の移動と連動して副音響ダクトの有効容積を可変するダクト容積可変部材を備えた、
ことを特徴とするスピーカーシステム。
【発明の詳細な説明】
【０００１】
【発明の属する技術分野】
本発明は、スピーカーシステムに関し、特に、車両の室内等に取り付けられるようにした低音再生に適したスピーカーシステムに関する。
【０００２】
【従来の技術】
音響再生機器において例えば約２５０Ｈｚ以下の低音を効果的に再生するために、位相反転型スピーカーボックスが用いられる。図３は位相反転型スピーカーボックスを用いた従来のスピーカーシステムの断面図である。
【０００３】
同図において、１はスピーカーボックスで、円筒状の箱体２中にその軸心と直交させてバッフル板３を備えてなる。４は低音再生用のスピーカーで、この場合、バッフル板３に２個取り付けられている。５はスピーカー４の前面部から放射された音を共鳴させる主ボックス、６は同様にの背面部から放射された音を共鳴させる副ボックスである。７は主ボックス５中に備えた音響ボード、８は主ボックス５中の音を前方に向けて放射させるようにした音響ダクト、９は主ボックス５からリスニングエリアに向けて放射させるようにした音響グリルである。
【０００４】
スピーカー４の前面部から放射された音は、同図に白抜きの矢印で示すように、主ボックス５中で共鳴し、音響ダクト８を介して音響グリル９からリスニングエリアに放射される。そしてスピーカー４の背面部から放射された音は、実線の矢印で示すように、副ボックス６中で共鳴し、バッフル板３を介して、主ボックス５中に放射され、或いはスピーカー４の振動板を副次的に振動させる。そして先の白抜きの矢印で示す音と合成されて、これら合成音がリスニングエリアに放射される。
【０００５】
スピーカー４の前面部から放射される音と背面部から放射される音とは位相が異なるので上記した副次的な振動によってスピーカー４の振動板の振幅を低減させる。この副次的な振動を極力押さえるために副ボックス６は、ある程度の大きさの容積を必要としている。そして、目標としている低周波領域の低音を強調させるために、相応な大きさの容積にして副ボックス６の共振周波数を該低周波領域中に設定している。
【０００６】
【発明が解決しようとする課題】
しかしながら、上記のスピーカーシステムにおいては、上記の副次的な振動を押さえるためには副ボックスを大きくすればよいが、設置スペースが増大する等の問題があった。又、低音の強調についても聴き手の好みがあるので、これら要望に一様に答えることができなかった。
【０００７】
本発明は、上記の問題点を解決するために、より低周波領域の音を再生可能にした上で、簡単な操作で低音の強調を調整可能にしたスピーカーシステムを提供することを目的とする。
【０００８】
【課題を解決するための手段】
上記目的達成のために本発明は、円筒状の一方の箱体をなしてその一端側にバッフル板を形成してなる主ボックスと、一端側が開放されてなる円筒状の他方の箱体をなし主ボックスと軸心を共通にして該一端側が一方の箱体の一端側と互いに重ね合わされた状態で組み付けられている副ボックスと、前記軸心位置にあって一方の箱体の一端側から主ボックス中に突き出していて副ボックスから主ボックスに通じている副音響ダクトとでスピーカーボックスが形成され、副ボックスは、主ボックスに対して前記軸心を中心として回動可能にし且つ該軸心方向に移動可能にし、前記軸心とそれぞれ一致させて、前記副音響ダクトに向けて突き出した状態で副ボックスの他端側にねじ棒が取り付けられ、該ねじ棒と螺合されるねじ受けを主ボックスに備え、前記副音響ダクト中に、前記ねじ棒の軸心方向の移動と連動して副音響ダクトの有効容積を可変するダクト容積可変部材を備えていて、副ボックスを回動させると、ねじ棒の回動と共に副ボックスの容積と、副音響ダクトの容積とが可変されるようにした。
【０００９】
【発明の実施の形態】
以下、本発明の好ましい実施の形態について添付図面を参照しつつ説明する。図１は本発明の実施形態例を示すスピーカーシステムの断面図、図２は図１によるスピーカーシステムの斜視図である。
【００１０】
各図において、１０はスピーカーボックス、１１はその主ボックス、１２は副ボックスである。主ボックス１１は、円筒状をなした箱体１３の一端側にその軸心と直交させてバッフル板１４を形成し、バッフル板１４には２個の低音再生用のスピーカー１５が取り付けられている。主ボックス１１はスピーカー１５の前面部から放射された音を共鳴させるようにしている。副ボックス１２は同様に背面部から放射された音を共鳴させるようにしている。１６は主ボックス１１中に備えた音響ボード、１７は主ボックス１１中の音を前方に向けて放射させるようにした主音響ダクト、１８は主ボックス１１からリスニングエリアに向けて放射させるようにした音響グリルである。
【００１１】
副ボックス１２は円筒状の箱体をなし一端側が開放されていて、主ボックス１１と軸心を共通にして該一端側が主ボックス１１の一端側と互いに重ね合わされた状態で組み付けられている。１９は副音響ダクトで、主ボックス１１の軸心と一致させてバッフル板１４と音響ボード１６とに取り付けられ、副ボックス１２から主ボックス１１中に突き出していて副ボックス１２から主ボックスに音を放射させるべく該各ボックス間を貫通させている。
【００１２】
副ボックス１２は、主ボックス１１に対してその軸心を中心として回動可能にし且つ該軸心方向に移動可能にしている。そしてその他端側には該軸心と一致させて、ねじ棒２０が副音響ダクト１９に向けて突き出した状態で取り付けられている。一方、主ボックス１１には、ねじ受けカバー２１を介してねじ受け２２を備えていて、ねじ棒２０と螺合させている。主ボックス１１には容積調整目盛２３が書き込まれていて、副ボックス１２の端縁が対向している目盛によって軸方向に移動調整（容積調整）された現在位置が指標される。尚、副ボックス１２は、主ボックス１１との重ね合わせ部分に摩擦部材２４を貼り付けて備えていて、その摩擦力とねじ棒２０の螺合摩擦力とによって移動調整位置が保持される。
【００１３】
副音響ダクト１９中には、ねじ棒２０が延長されて形成されたダクト容積可変部材２５が挿入されていて、ねじ棒２０の軸心方向の移動と共に副音響ダクト１９の有効容積を可変させる。尚、ねじ受けカバー２１には副ボックス１２中の音を副音響ダクト１９に向けて通過させるために音抜き穴２６を設けている。
【００１４】
以上の構成において、スピーカー１５の前面部から放射された音は、同図に白抜きの矢印で示すように、主ボックス１１中で共鳴し、主音響ダクト１７を介して音響グリル音響グリル１８からリスニングエリアに放射される。そしてスピーカー１５の背面部から放射された音は、実線の矢印で示すように、副ボックス１２中で共鳴し、副音響ダクト１９を介して、主ボックス１１中に放射される。そして先の白抜きの矢印で示す音と合成されて、これら合成音が音響グリル１８を介してリスニングエリアに放射される。
【００１５】
副ボックス１２を時計方向或いは反時計方向に回動させると、副ボックス１２が前後方向に移動してその容積（副ボックス１２とバッフル板１４とで囲まれた容積）が調整されると共に、ダクト容積可変部材２５も同様に移動して副音響ダクト１９の有効容積が調整される。該各容積は、副ボックス１２が図１における右方に移動されると共に増大し、左方に移動されると減少する。この調整位置は聴き手の好みにより適宜に選定され、右方に移動調整すると低音が強調されて再生され、左方に移動調整すると低音が弱められることによって高音が強調されて再生される。
【００１６】
上記の実施形態例によれば、副音響ダクト１９が副ボックス１２側から主ボックス１１中に突き出していて、副ボックス１２自身の容積と副音響ダクト１９の容積とでその実効容積が増大されている。よってスピーカー１５の副次的な振動が抑制されて、より低周波の低音を忠実に再生することが可能になる。そして副ボックス１２が回動操作されることによってこの実効容積が変って、低音の強度が調整される。
【００１７】
【発明の効果】
本発明によれば、主ボックスのバッフル板にスピーカーが取り付けられ、該バッフル板側に組み付けられた副ボックスが、回動されると主ボックスに対して軸方向の移動を調整可能に構成され、そして副音響ダクトが副ボックス側から主ボックス中に突き出して形成されていて、副ボックスの軸方向移動に伴って、副音響ダクト中のダクト容積可変部材が移動するように構成されて該ダクト容積を調整可能にしたので、副ボックス自身の容積と副音響ダクトの容積とでその実効容積が増大されてスピーカーの副次的な振動が抑制されて、より低周波の低音を忠実に再生することが可能になる。そして、簡単な回動操作で副ボックスの実効容積が可変されて、低音の強度が調整可能になる。
【図面の簡単な説明】
【図１】本発明の実施形態例を示すスピーカーシステムの断面図である。
【図２】図１によるスピーカーシステムの斜視図である。
【図３】本発明に関わる従来のスピーカーシステムを示す断面図である。
【符号の説明】
１０  スピーカーボックス
１１  主ボックス
１２  副ボックス
１４  バッフル板
１５  スピーカー
１６  音響ボード
１７  主音響ダクト
１８  音響グリル
１９  副音響ダクト
２０  ねじ棒
２２  ねじ受け
２３  容積調整目盛
２５  ダクト容積可変部材
【図１】
0004267795.tif 000002
【図２】
0004267795.tif 000003
【図３】
0004267795.tif 000004